(57)【要約】【課題】便鉢面を良好に洗浄することができるように適正な位置に容易に取り付けることができる小便器用スプレッダーを提供する。【解決手段】小便器用スプレッダーは、洗浄水が流入する流入口１０、この流入口１０から流入した洗浄水を小便器１の便鉢面２に向けて流出させる吐水口２０、及び流入口１０と吐水口２０とを連通した導水路３０を備えている。この小便器用スプレッダーは、流入口１０に連続して導水路３０の上流側を構成しており、使用状態に設置した小便器１の上下方向に貫通した取付孔４に挿通した状態で固定される流入管部１１と、この流入管部１１の下流端部に連続して導水路３０の下流側を構成しており、使用状態に設置した小便器１の上下方向に延びた便鉢面２に面する外側面４３、この外側面４３に便鉢面２に向けて突出した凸部８０、及び吐水口２０を有した吐水本体部１２とを備えている。【選択図】図２
2015071900.tif 000002
【特許請求の範囲】
【請求項１】
洗浄水が流入する流入口、この流入口から流入した洗浄水を小便器の便鉢面に向けて流出させる吐水口、及び前記流入口と前記吐水口とを連通した導水路を備えている小便器用スプレッダーであって、
前記流入口に連続して前記導水路の上流側を構成しており、使用状態に設置した前記小便器の上下方向に貫通した取付孔に挿通した状態で固定される流入管部と、
この流入管部の下流端部に連続して前記導水路の下流側を構成しており、使用状態に設置した前記小便器の上下方向に延びた前記便鉢面に面する外側面、この外側面に前記便鉢面に向けて突出した凸部、及び前記吐水口を有した吐水本体部とを備えていることを特徴とする小便器用スプレッダー。
【請求項２】
前記流入管部は外側面に螺子山が刻まれており、この流入管部を前記小便器の前記取付孔に挿通してナットで締め付け固定される際に、その締め付け方向に前記吐水本体部が回転することによって前記便鉢面に近づく前記外側面に前記凸部が設けられていることを特徴とする請求項１記載の小便器用スプレッダー。
【請求項３】
前記凸部は、前記外側面であって、前記流入管部に対して左右に離れた位置に設けられていることを特徴とする請求項１又は２記載の小便器用スプレッダー。
【請求項４】
前記凸部は、円柱状であり、角部が曲面であることを特徴とする請求項１乃至３のいずれか１項記載の小便器用スプレッダー。
【発明の詳細な説明】
【技術分野】
【０００１】
本発明は小便器用スプレッダーに関するものである。
【背景技術】
【０００２】
特許文献１は従来の小便器用スプレッダーを開示している。この小便器用スプレッダーは、洗浄水が流入する流入口、この流入口から流入した洗浄水を小便器の便鉢面に向けて流出させる吐水口、及び流入口と吐水口とを連通した導水路を備えている。この小便器用スプレッダーは流入口に連続して導水路の上流側を構成する流入管部を備えている。この流入管部は使用状態に設置した小便器の上下方向に貫通した取付孔に挿通して固定されている。また、この小便器用スプレッダーは流入管部の下流端部に連続して導水路の下流側を構成し、吐水口を有した吐水本体部を備えている。吐水口は使用状態に設置した前記小便器の上下方向に延びた便鉢面に接している。この小便器用スプレッダーは便鉢面に接した吐水口から洗浄水を流出させることができるため、便鉢面を洗浄することができる。
【先行技術文献】
【特許文献】
【０００３】
【特許文献１】特許第４３０４４７５号公報
【発明の概要】
【発明が解決しようとする課題】
【０００４】
しかし、特許文献１の小便器用スプレッダーは、吐水口を便鉢面に接した状態で取り付けられているが、実際に吐水口が便鉢面に接するように小便器に取り付けることは困難である。つまり、陶器製である小便器は製造過程で収縮するため、小便器に取り付けられる小便器用スプレッダー等は公差を見越して設計されている。このため、吐水口と便鉢面との間に僅かな隙間が生じることを許容している。便鉢面を良好に洗浄するためには、吐水口と便鉢面との間の隙間が均一な状態に取り付けられることが望ましいが、そのように取り付けるためには手間を要する。
【０００５】
本発明は、上記従来の実情に鑑みてなされたものであって、便鉢面を良好に洗浄することができるように適正な位置に容易に取り付けることができる小便器用スプレッダーを提供することを解決すべき課題としている。
【課題を解決するための手段】
【０００６】
本発明の小便器用スプレッダーは、洗浄水が流入する流入口、この流入口から流入した洗浄水を小便器の便鉢面に向けて流出させる吐水口、及び前記流入口と前記吐水口とを連通した導水路を備えている小便器用スプレッダーであって、
前記流入口に連続して前記導水路の上流側を構成しており、使用状態に設置した前記小便器の上下方向に貫通した取付孔に挿通した状態で固定される流入管部と、
この流入管部の下流端部に連続して前記導水路の下流側を構成しており、使用状態に設置した前記小便器の上下方向に延びた前記便鉢面に面する外側面、この外側面に前記便鉢面に向けて突出した凸部、及び前記吐水口を有した吐水本体部とを備えていることを特徴とする。
【０００７】
この小便器用スプレッダーは、小便器の上下方向に延びた便鉢面に面する外側面に便鉢面に向けて突出した凸部が小便器の便鉢面に当接することによって、適正な位置に取り付けることができる。つまり、吐水口と便鉢面との間に隙間が略均一な状態に小便器用スプレッダーを取り付けることができる。このため、吐水口から流出した洗浄水が便鉢面を良好に流れることができる。
【０００８】
したがって、この小便器用スプレッダーは便鉢面を良好に洗浄することができるように適正な位置に容易に取り付けることができる。
【図面の簡単な説明】
【０００９】
【図１】実施例の小便器用スプレッダーが取り付けられた小便器を示す斜視図である。
【図２】実施例の小便器用スプレッダーの小便器への取り付け状態を示す要部断面図である。
【図３】実施例の小便器用スプレッダーの小便器への取り付け状態を示す斜視図である。
【図４】実施例の小便器用スプレッダーを示す断面図である。
【図５】実施例の小便器用スプレッダーを示す底面図である。
【図６】実施例の小便器用スプレッダーを示す側面図である。
【図７】図６の矢視Ｘ−Ｘ断面図である。
【図８】図６の矢視Ｙ−Ｙ断面図である。
【図９】図６の矢視Ｚ−Ｚ断面図である。
【図１０】実施例の小便器用スプレッダーの小便器への取り付け状態を示す平面図である。
【図１１】実施例の小便器用スプレッダーであって、内壁部の先端部を削除した状態を示す断面図である。
【図１２】実施例の小便器用スプレッダーであって、内壁部の先端部を削除した状態のスプレッダー本体を示す底面図である。
【発明を実施するための形態】
【００１０】
本発明における好ましい実施の形態を説明する。
【００１１】
本発明の小便器用スプレッダーにおいて、前記流入管部は外側面に螺子山が刻まれており、この流入管部を前記小便器の前記取付孔に挿通してナットで締め付け固定される際に、その締め付け方向に前記吐水本体部が回転することによって前記便鉢面に近づく前記外側面に前記凸部が設けられ得る。この場合、流入管部をナット締めする際に吐水本体部の外側面に設けられた凸部が便鉢面に当接するため、吐水本体部がそれ以上に回転することを阻止することができる。これによって、吐水口と便鉢面との間に隙間が略均一な状態に小便器用スプレッダーを取り付けることができる。このため、吐水口から流出した洗浄水が便鉢面を良好に流れることができる。
【００１２】
本発明の小便器用スプレッダーにおいて、前記凸部は、前記外側面であって、前記流入管部に対して左右に離れた位置に設けられ得る。この場合、外側面であって、流入管部に対して左右に離れた位置に設けられた凸部が便鉢面に当接することによって、吐水本体部が流入管部を中心にして時計方向及び反時計方向に回転することを規制することができる。これによって、吐水口と便鉢面との間の隙間が略均一な状態に小便器用スプレッダーを取り付けることができる。このため、吐水口から流出した洗浄水が便鉢面を良好に流れることができる。
【００１３】
本発明の小便器用スプレッダーにおいて、前記凸部は、円柱状であり、角部が曲面であり得る。この場合、凸部が便鉢面に当接する際、凸部の角部が欠けたり、凸部によって便鉢面に傷がついたりすることを防止することができる。
【００１４】
次に、本発明の小便器用スプレッダーを具体化した実施例について、図面を参照しつつ説明する。
【００１５】
＜実施例＞
実施例の小便器用スプレッダーは、図１〜図３に示すように、小便器１の便鉢面２の上部に取り付けられる。この小便器用スプレッダーは、図４及び図５に示すように、流入口１０、吐水口２０、及び導水路３０を備えている。流入口１０は、上流側の給水管３の下流端部が挿入され、洗浄水が流入する。吐水口２０は小便器１の便鉢面２に向けて洗浄水を流出する。導水路３０は流入口１０と吐水口２０とを連通している。導水路３０は流入口１０に連続した流入管部１１が上流側を構成している。また、導水路３０は、流入管部１１の下流端部に連続し、吐水口２０を有した吐水本体部１２が下流側を構成している。つまり、小便器用スプレッダーは流入管部１１と吐水本体部１２とを備えている。
【００１６】
流入管部１１は、図６に示すように、略円筒状である。流入管部１１は、小便器用スプレッダーが使用状態に設置した小便器１に取り付けられた際、外周面の左右両側に位置する２か所を上下方向に延びた平行な平面部１１Ａで形成している。流入管部１１は上流側の端部から中間位置までの外周面に螺子山が刻まれている。流入管部１１は、図２及び３に示すように、使用状態に設置した小便器１の上下方向に貫通した取付孔４に挿通してナット５で締め付け固定される。このようにして、この小便器用スプレッダーは便鉢面２の上部に取り付けられる。
【００１７】
吐水本体部１２は、図５に示すように、流入管部１１の流入口１０とは反対側から流入管部１１の中心軸方向を見た外形状が、各角部が円弧状である略二等辺三角形状に形成されている。吐水本体部１２を構成する周壁部は、図４に示すように、流入管部１１の下流端部に連続した側壁部４１と、側壁部４１に取り付けられたカバー部材４２とによって形成さている。側壁部４１は、流入管部１１の下流端部に連続した平板状の天井部４１Ａと、この天井部４１Ａに連続して、略二等辺三角形状の底辺に相当する部分に向けて徐々に流入管部１１とは反対方向に湾曲した垂下部４１Ｂとを有している。側壁部４１の垂下部４１Ｂは使用状態に設置した小便器１の上下方向に延びた便鉢面２に面する外側面４３を形成している。側壁部４１は導水路３０の下流側の周壁部の一部を構成している。流入管部１１は吐水本体部１２の略二等辺三角形の頂角に相当する部分１２Ｔに近い側壁部４１の天井部４１Ａに連結している。
【００１８】
カバー部材４２は、図５に示すように、外形状が側壁部４１の外形状に略等しい略二等辺三角形状である。カバー部材４２の略二等辺三角形状の頂角に相当する部分から延びた２本の等辺に相当する縁部４２Ａが、側壁部４１の略二等辺三角形状の頂角に相当する部分から延びた２本の等辺に相当する縁部４１Ａに水密状に連結されている。カバー部材４２は側壁部４１との間で導水路３０及び内部導水路５０を形成するように湾曲状に膨らんでいる。つまり、カバー部材４２は側壁部４１と共に導水路３０の下流側を構成している。吐水本体部１２は、カバー部材４２の略二等辺三角形状の底辺に相当する部分の縁部４２Ｂと、側壁部４１の略二等辺三角形状の底辺に相当する部分に設けられた縁部４１Ｂとの間に等しい間隔を有するスリット状の開口を形成している。この開口が吐水口２０を構成している。小便器用スプレッダーが小便器１に取り付けられた状態で吐水口２０は小便器１の便鉢面２に沿って横方向に延びて開口する。
【００１９】
この小便器用スプレッダーは、吐水本体部１２内であり、下流側の導水路３０内に開口して導水路３０内を流れる洗浄水が流入する内部流入口５１と、内部流入口５１に連続して内部流入口５１から流入した洗浄水を吐水口２０の左右中央部から流出するように導く内部導水路５０とを備えている。
【００２０】
吐水本体部１２は、側壁部４１の垂下部４１Ｂの内面の左右中央部から流入管部１１の下流端部の開口の近傍に向けて延びた内壁部６０を有している。内壁部６０の先端部６０Ａは流入管部１１から吐水本体部１２内に流入する洗浄水が直接衝突する位置まで延びている。内壁部６０は、使用状態に設置した小便器１に小便器用スプレッダーを取り付けた状態で、左右中央部に向けて下方に湾曲した中央壁部６１と、この中央壁部６１の両側から斜め下方外側に向けて傾斜した左右壁部６２を有している。また、内壁部６０は、中央壁部６１の左右中央下面に、側壁部４１の垂下部４１Ｂの内面から内壁部６０の先端部６０Ａまで延びた一条の補強用リブ６３が形成されている。
【００２１】
内壁部６０の左右壁部６２の下端面と補強用リブ６３の下端面は、吐水本体部１２の側壁部４１に取り付けられたカバー部材４２の内側面に当接する。これによって、内壁部６０の中央壁部６１とカバー部材４２との間であって、左右壁部６２の夫々と補強用リブ６３との間に２本の内部導水路５０が形成される。また、内壁部６０の先端部６０Ａとカバー部材４２とによって、２本の内部導水路５０の上流側に内部流入口５１が形成される。つまり、内壁部６０は内部流入口５１の一部と内部導水路５０の周壁部の一部とを構成している。このため、内部流入口５１から流入した洗浄水は、内部導水路５０を通過して、吐水口２０の左右中央部から流出する。内部導水路５０は、図６〜図９に示すように、上流側に向かって、カバー部材４２と中央壁部６１との間隔が狭くなり、かつ左右壁部６２の夫々と補強用リブ６３との間隔も狭くなっているため、上流側に向けて流路面積を小さくしている。
【００２２】
吐水本体部１２は、図５に示すように、側壁部４１の垂下部４１Ｂの左右両端部の夫々の内面から流入管部１１方向に延びたリブ６４を有している。これらリブ６４は、流入口１０から導水路３０に流入した洗浄水の内、内部流入口５１から内部導水路５０に流入した洗浄水以外の洗浄水を吐水口２０の左右両端部に案内する。
【００２３】
このように、小便器用スプレッダーは、流入管部１１、側壁部４１、及び内壁部６０を有したスプレッダー本体７０と、カバー部材４２とから構成されている。このため、小便器用スプレッダーは、部品点数が少なく、容易に組み立てることができる。
【００２４】
また、小便器用スプレッダーは、図１０に示すように、吐水本体部１２の外側面４３に便鉢面２に向けて突出した２個の凸部８０を有している。これら凸部８０は、円柱状であり、外側面４３の左右両端部（図１０において上下方向に位置する両端部）、つまり、流入管部１１に対して左右（図１０において上下）に離れた位置に夫々１個ずつ設けられている。
【００２５】
この凸部８０の一方は、流入管部１１を小便器１の取付孔４に挿通してナット５で締め付け固定される際に、その締め付け方向に吐水本体部１２が回転することによって便鉢面２に近づく外側面４３の一方の端部（図１０において上側の端部）に設けられている。このため、凸部８０が便鉢面２に当接することによって、吐水本体部１２がそれ以上に回転することを阻止することができる。このように、陶器製である小便器１等に対して、吐水口２０と便鉢面２との間に僅かな隙間が生じることを許容して、小便器用スプレッダーを取り付ける際、凸部８０が小便器１の便鉢面２に当接することによって、適正な位置に小便器用スプレッダーを取り付けることができる。つまり、吐水口２０と便鉢面２との間に隙間が略均一な状態に小便器用スプレッダーを取り付けることができる。このため、吐水口２０から流出した洗浄水が便鉢面２を良好に流れることができる。
【００２６】
また、凸部８０を外側面４３の左右両端部に１個ずつ、つまり、流入管部１１に対して左右に離れた位置に夫々設けたため、吐水本体部１２が流入管部１１を中心にして時計方向及び反時計方向に回転することを規制することができる。これによっても、吐水口２０と便鉢面２との間に隙間が略均一な状態に小便器用スプレッダーを取り付けることができる。このため、吐水口２０から流出した洗浄水が便鉢面２を良好に流れることができる。
【００２７】
したがって、実施例の小便器用スプレッダーは便鉢面２を良好に洗浄することができるように適正な位置に容易に取り付けることができる。
【００２８】
また、凸部８０は角部が曲面に形成されている。このため、凸部８０が便鉢面２に当接する際、凸部８０の角部が欠けたり、凸部８０によって便鉢面２に傷がついたりすることを防止することができる。
【００２９】
このような構成を有する小便器用スプレッダーは、図４〜図９に示すように、流入口１０から洗浄水が流入すると、内部流入口５１の開口面積が小さいため、内部導水路５０に流入する洗浄水の流量を抑えて、内部導水路５０を通過して吐水口２０の左右中央部から流出する洗浄水の流量を少なくすることができる。一方で、内部導水路５０を通過する洗浄水以外の導水路３０を通過する洗浄水の流量が多くなる。このため、吐水口２０の左右両端部から流出する洗浄水の流量を多くし、便鉢面２を左右方向へ流出する洗浄水の拡がりが大きくなり、洗浄範囲を広くすることができる。
【００３０】
また、図１１及び図１２に示すように、この小便器用スプレッダーは、内壁部６０の先端部６０Ａをカットすることによって、内部導水路５０の長さを短くし、内部流入口５１の開口面積を大きくすることが容易に行える。このようにすると、内部導水路５０に流入する洗浄水の流量が多くなり、内部導水路５０を通過して吐水口２０の左右中央部から流出する洗浄水の流量を多くすることができる。一方で、内部導水路５０を通過する洗浄水以外の導水路３０を通過する洗浄水の流量が少なくなる。このため、吐水口２０の左右両端部から流出する洗浄水の流量が少なくなる。このため、吐水口２０の左右両端部から流出する洗浄水の流量が少なくなり、便鉢面２を左右方向へ流出する洗浄水の拡がりを抑え、洗浄範囲を狭くすることができる。
【００３１】
このように、この小便器用スプレッダーは、内壁部６０の先端部６０Ａをカットすることによって、内部流入口５１の開口面積を調整し、流入口１０に流入する洗浄水の流量の多少にかかわらず、吐水口２０から流出する洗浄水の状態（洗浄範囲）を調整することができる。また、この小便器用スプレッダーは、外観を変更することなく、洗浄範囲を変更することができる。よって、この小便器用スプレッダーは便鉢面２の広さが異なる多種類の小便器１に適用することができる。また、内部導水路５０を通過することによって洗浄水の流れが整流され、吐水口２０から流出する洗浄水の飛沫を抑制することができる。
【００３２】
本発明は上記記述及び図面によって説明した実施例に限定されるものではなく、例えば次のような実施例も本発明の技術的範囲に含まれる。
（１）実施例では、外側面の左右両端部に２個設けたが、流入管部をナットで締め付け固定される際に締め付け方向に吐水本体部が回転することによって便鉢面に近づく外側面の一方の端部に設けるだけでもよい。
（２）実施例では、外側面に凸部を２個設けたが、３個以上設けてもよい。
（３）実施例では、凸部の角部を曲面で形成したが、曲面でなくてもよい。
（４）実施例では、円柱状の凸部を設けたが、凸部の形状は適宜変更してもよい。
（５）実施例では、内部導水路を備えていたが、内部導水路を備えなくてもよい。
（６）実施例では、内部導水路の流路面積を上流側に向けて小さくしたが、流路面積を変化させなくてもよい。この場合、各種小便器の便鉢面の広さに合わせて、内部導水路の流路面積が相違する複数種類の小便器用スプレッダーを用意するとよい。
（７）実施例では、スプレッダー本体とカバー部材の２部材によって小便器用スプレッダーを構成したが、３個以上の部材から構成してもよい。
（８）実施例では、側壁部とカバー部材とで内部流入口及び内部導水路を構成したが、吐水本体部内に側壁部及び／又はカバー部材とは別体の内部流入口を有する内部導水路を形成してもよい。
（９）実施例では、側壁部の縁部とカバー部材の縁部との間に吐水口を設けたが、側壁部又はカバー部材に吐水口を設けてもよい。
（１０）実施例では、内部導水路を通過した洗浄水が吐水口の中央部から流出したが、内部導水路を通過した洗浄水が吐水口の左右両端部等、他の部分から流出するようにしてもよい。
【符号の説明】
【００３３】
１…小便器
２…便鉢面
４…取付孔
５…ナット
１０…流入口
１１…流入管部
１２…吐水本体部
２０…吐水口
３０…導水路
４３…外側面
８０…凸部
【図１】
2015071900.tif 000003
【図２】
2015071900.tif 000004
【図３】
2015071900.tif 000005
【図４】
2015071900.tif 000006
【図５】
2015071900.tif 000007
【図６】
2015071900.tif 000008
【図７】
2015071900.tif 000009
【図８】
2015071900.tif 000010
【図９】
2015071900.tif 000011
【図１０】
2015071900.tif 000012
【図１１】
2015071900.tif 000013
【図１２】
2015071900.tif 000014